(57)【要約】【課題】関心の高い動画や、該動画の中で決定的な瞬間が撮影されているフレーム期間（各シーン）を、編集時や、再生時に容易な操作で選択可能とする。【解決手段】ＣＰＵ８は、カメラ装置３による動画ファイル２１の録画時、または再生時に、録画操作、または再生操作に応じてフレーム単位で評価値を付与して評価情報ファイル２２として記録する。また、動画編集時や、再生時に、上記評価情報ファイル２２の評価値を参照して、ユーザに編集の手がかりなる、決定的瞬間が撮影された録画部分や、ユーザが興味を持っている録画部分などを選択的にユーザに提示する。【選択図】図１
2010239363.tif 000002
【特許請求の範囲】
【請求項１】
動画データを再生する再生手段と、
前記再生手段による動画再生時に、任意のタイミングで再生制御に関するユーザ操作を受け付ける動画再生操作入力手段と、
前記動画再生操作入力手段により受け付けたユーザ操作の内容に応じて、この操作タイミングで前記再生手段により再生されている動画フレームに対して評価を行い、各動画フレームに対する評価に応じた評価情報を付与する評価手段と、
前記評価手段により各動画フレームに対して付与された評価情報を、該動画データに関連付けて記録する評価情報記録手段と
を備えることを特徴とする動画処理装置。
【請求項２】
前記評価手段は、
既に評価情報が関連付けて記録されている動画データに対して、再び、動画再生時の動画フレーム評価を行った場合には、現在の評価に応じた評価情報を、過去の評価情報に累積することを特徴とする請求項１記載の動画処理装置。
【請求項３】
動画編集時に、前記動画データの各動画フレームに対して付与された評価情報に基づいて、動画編集の対象フレームを提示する動画編集対象フレーム提示手段を更に備えることを特徴とする請求項１または２に記載の動画処理装置。
【請求項４】
前記評価手段は、
再生時のユーザ操作として、早送り、巻き戻し、スロー再生の度に、その速度、繰り返し回数に応じて評価を決定することを特徴とする請求項１乃至３のいずれかに記載の動画処理装置。
【請求項５】
動画撮影手段と、
前記動画撮影手段による動が撮影時に、任意のタイミングで動画撮影制御に関するユーザ操作を受け付ける動画撮影操作入力手段と
を更に備え、
前記評価手段は、
前記動画撮影操作入力手段により受け付けたユーザ操作の内容に応じて、この操作タイミングで前記動画撮影手段により撮影されている動画フレームに対して評価を行い、各動画フレームに対して、評価に応じた評価情報を付与することを特徴とする請求項１乃至４のいずれかに記載の動画処理装置。
【請求項６】
前記評価手段は、
動画撮影時のユーザ操作として、ズーム操作、連写操作、フォーカス操作、露出調整操作の度に、その操作後の一定時間内のフレームの評価を決定することを特徴とする請求項５記載の動画処理装置。
【請求項７】
前記評価手段は、
前記再生手段により最終フレームまで再生された場合、該当動画データ全体に対する評価情報を付与することを特徴とする請求項１乃至６のいずれかに記載の動画処理装置。
【請求項８】
前記動画データを再生する際に、前記動画全体に対する評価情報に基づいて、再生すべき動画データを選択する再生動画選択手段を更に備えることを特徴とする請求項７記載の動画処理装置。
【請求項９】
前記再生動画選択手段に選択された動画データを再生する際に、各動画データの動画フレームに対して付与された評価情報に基づいて、再生すべき動画フレームを選択する再生動画フレーム選択手段を更に備えることを特徴とする請求項８記載の動画処理装置。
【請求項１０】
前記再生手段は、
前記再生動画選択手段により選択された動画データの全てに対して、前記再生動画フレーム選択手段により選択された動画フレームを繋ぎ合せて連続して再生することを特徴とする請求項９記載の動画処理装置。
【請求項１１】
撮影された動画データを再生する動画再生方法であって、
動画データを再生するステップと、
前記動画再生時に、任意のタイミングで再生制御に関するユーザ操作を受け付けるステップと、
前記受け付けたユーザ操作の内容に応じて、この操作タイミングで前記再生されている動画フレームに対して評価を行い、各動画フレームに対して、評価に応じた評価情報を付与するステップと、
前記各動画フレームに対して付与された評価情報を、該動画データに関連付けて記録するステップと
を含むことを特徴とする動画再生方法。
【請求項１２】
動画を録画する動画録画方法であって、
動画データを撮影するステップと、
前記動画撮影時に、任意のタイミングで動画撮影制御に関するユーザ操作を受け付けるステップと、
前記受け付けたユーザ操作の内容に応じて、この操作タイミングで前記撮影されている動画フレームに対して評価を行い、各動画フレームに対して、評価に応じた評価情報を付与するステップと、
前記各動画フレームに対して付与された評価情報を、該動画データに関連付けて記録するステップと
を含むことを特徴とする動画録画方法。
【請求項１３】
撮影された動画データを再生する動画再生装置のコンピュータに、
動画データを再生する再生機能、
前記動画再生時に、任意のタイミングで再生制御に関するユーザ操作を受け付ける動画再生操作入力機能、
前記受け付けたユーザ操作の内容に応じて、この操作タイミングで前記再生されている動画フレームに対して評価を行い、各動画フレームに対して、評価に応じた評価情報を付与する評価機能、
前記各動画フレームに対して付与された評価情報を、該動画データに関連付けて記録する評価情報記録機能
を実行させることを特徴とするプログラム。
【請求項１４】
動画を録画する動画録画装置のコンピュータに、
動画データを撮影する撮影機能、
前記動画撮影時に、任意のタイミングで動画撮影制御に関するユーザ操作を受け付ける動画再生操作入力機能、
前記受け付けたユーザ操作の内容に応じて、この操作タイミングで前記撮影されている動画フレームに対して評価を行い、各動画フレームに対して、評価に応じた評価情報を付与する評価機能、
前記各動画フレームに対して付与された評価情報を、該動画データに関連付けて記録する評価情報記録機能
を実行させることを特徴とするプログラム。
【発明の詳細な説明】
【技術分野】
【０００１】
本発明は、動画処理装置、動画再生方法、動画録画方法、及びプログラムに関する。
【背景技術】
【０００２】
ユーザが記録した何ら編集されていないオリジナルの動画を再生したり、編集したりする場合、通常、必要な場面以外も長く録画されているため、見たい部分、編集したい部分を探すのに非常に時間がかかり、ストレスを感じることがある。
【０００３】
そこで、従来、動画再生の履歴（再生回数、動画内で操作した位置）を記録し、ユーザに提示する技術がある（例えば、特許文献１参照）。
【先行技術文献】
【特許文献】
【０００４】
【特許文献１】特開２００２−３４４８４９号公報
【発明の概要】
【発明が解決しようとする課題】
【０００５】
しかしながら、上記従来技術では、再生時の手がかりにはなるが、決定的瞬間をストレスなく再生したり、編集したりするための根本的な解決とならないという問題があった。
【０００６】
そこで本発明は、ユーザの関心の高い動画や、該動画の中でユーザの関心の高いフレーム（決定的な瞬間が撮影されているシーンなど）を、編集時や、再生時に容易な操作で選択することができる動画処理装置、動画再生方法、動画録画方法、及びプログラムを提供することを目的とする。
【課題を解決するための手段】
【０００７】
上記目的達成のため、請求項１記載の発明は、動画データを再生する再生手段と、前記再生手段による動画再生時に、任意のタイミングで再生制御に関するユーザ操作を受け付ける動画再生操作入力手段と、前記動画再生操作入力手段により受け付けたユーザ操作の内容に応じて、この操作タイミングで前記再生手段により再生されている動画フレームに対して評価を行い、各動画フレームに対する評価に応じた評価情報を付与する評価手段と、前記評価手段により各動画フレームに対して付与された評価情報を、該動画データに関連付けて記録する評価情報記録手段とを備えることを特徴とする動画処理装置である。
【０００８】
また、好ましい態様として、例えば請求項２記載のように、請求項１記載の動画処理装置において、前記評価手段は、既に評価情報が関連付けて記録されている動画データに対して、再び、動画再生時の動画フレーム評価を行った場合には、現在の評価に応じた評価情報を、過去の評価情報に累積することを特徴とする。
【０００９】
また、好ましい態様として、例えば請求項３記載のように、請求項１または２に記載の動画処理装置において、動画編集時に、前記動画データの各動画フレームに対して付与された評価情報に基づいて、動画編集の対象フレームを提示する動画編集対象フレーム提示手段を更に備えることを特徴とする。
【００１０】
また、好ましい態様として、例えば請求項４記載のように、請求項１乃至３のいずれかに記載の動画処理装置において、前記評価手段は、再生時のユーザ操作として、早送り、巻き戻し、スロー再生の度に、その速度、繰り返し回数に応じて評価を決定することを特徴とする。
【００１１】
また、好ましい態様として、例えば請求項５記載のように、請求項１乃至４のいずれかに記載の動画処理装置において、動画撮影手段と、前記動画撮影手段による動が撮影時に、任意のタイミングで動画撮影制御に関するユーザ操作を受け付ける動画撮影操作入力手段とを更に備え、前記評価手段は、前記動画撮影操作入力手段により受け付けたユーザ操作の内容に応じて、この操作タイミングで前記動画撮影手段により撮影されている動画フレームに対して評価を行い、各動画フレームに対して、評価に応じた評価情報を付与することを特徴とする。
【００１２】
また、好ましい態様として、例えば請求項６記載のように、請求項５記載の動画処理装置において、前記評価手段は、動画撮影時のユーザ操作として、ズーム操作、連写操作、フォーカス操作、露出調整操作の度に、その操作後の一定時間内のフレームの評価を決定することを特徴とする。
【００１３】
また、好ましい態様として、例えば請求項７記載のように、請求項１乃至６のいずれかに記載の動画処理装置において、前記評価手段は、前記再生手段により最終フレームまで再生された場合、該当動画データ全体に対する評価情報を付与することを特徴とする。
【００１４】
また、好ましい態様として、例えば請求項８記載のように、請求項７記載の動画処理装置において、前記動画データを再生する際に、前記動画全体に対する評価情報に基づいて、再生すべき動画データを選択する再生動画選択手段を更に備えることを特徴とする。
【００１５】
また、好ましい態様として、例えば請求項９記載のように、請求項８記載の動画処理装置において、前記再生動画選択手段に選択された動画データを再生する際に、各動画データの動画フレームに対して付与された評価情報に基づいて、再生すべき動画フレームを選択する再生動画フレーム選択手段を更に備えることを特徴とする。
【００１６】
また、好ましい態様として、例えば請求項１０記載のように、請求項９記載の動画処理装置において、前記再生手段は、前記再生動画選択手段により選択された動画データの全てに対して、前記再生動画フレーム選択手段により選択された動画フレームを繋ぎ合せて連続して再生することを特徴とする。
【００１７】
また、上記目的達成のため、請求項１１記載の発明は、撮影された動画データを再生する動画再生方法であって、動画データを再生するステップと、前記動画再生時に、任意のタイミングで再生制御に関するユーザ操作を受け付けるステップと、前記受け付けたユーザ操作の内容に応じて、この操作タイミングで前記再生されている動画フレームに対して評価を行い、各動画フレームに対して、評価に応じた評価情報を付与するステップと、前記各動画フレームに対して付与された評価情報を、該動画データに関連付けて記録するステップとを含むことを特徴とする動画再生方法である。
【００１８】
また、上記目的達成のため、請求項１２記載の発明は、動画を録画する動画録画方法であって、動画データを撮影するステップと、前記動画撮影時に、任意のタイミングで動画撮影制御に関するユーザ操作を受け付けるステップと、前記受け付けたユーザ操作の内容に応じて、この操作タイミングで前記撮影されている動画フレームに対して評価を行い、各動画フレームに対して、評価に応じた評価情報を付与するステップと、前記各動画フレームに対して付与された評価情報を、該動画データに関連付けて記録するステップとを含むことを特徴とする動画録画方法である。
【００１９】
また、上記目的達成のため、請求項１３記載の発明は、撮影された動画データを再生する動画再生装置のコンピュータに、動画データを再生する再生機能、前記動画再生時に、任意のタイミングで再生制御に関するユーザ操作を受け付ける動画再生操作入力機能、前記受け付けたユーザ操作の内容に応じて、この操作タイミングで前記再生されている動画フレームに対して評価を行い、各動画フレームに対して、評価に応じた評価情報を付与する評価機能、前記各動画フレームに対して付与された評価情報を、該動画データに関連付けて記録する評価情報記録機能を実行させることを特徴とするプログラムである。
【００２０】
また、上記目的達成のため、請求項１４記載の発明は、動画を録画する動画録画装置のコンピュータに、動画データを撮影する撮影機能、前記動画撮影時に、任意のタイミングで動画撮影制御に関するユーザ操作を受け付ける動画再生操作入力機能、前記受け付けたユーザ操作の内容に応じて、この操作タイミングで前記撮影されている動画フレームに対して評価を行い、各動画フレームに対して、評価に応じた評価情報を付与する評価機能、前記各動画フレームに対して付与された評価情報を、該動画データに関連付けて記録する評価情報記録機能を実行させることを特徴とするプログラムである。
【発明の効果】
【００２１】
この発明によれば、動画の中でユーザの関心の高いフレームを、編集時や、再生時に容易な操作で選択することができるという利点が得られる。
【図面の簡単な説明】
【００２２】
【図１】本発明の実施形態によるデジタルカメラの構成を示すブロック図である。
【図２】本実施形態によるデジタルカメラにおいて、カメラ装置３による動画ファイル２１の録画時に、録画操作に応じて、フレーム単位で付与する評価値の一例を示す概念図である。
【図３】本実施形態によるデジタルカメラにおいて、カメラ装置３による動画ファイル２１の再生時に、再生操作に応じて、フレーム単位で付与する評価値の一例を示す概念図である。
【図４】本実施形態の録画撮影処理の動作を説明するためのフローチャートである。
【図５】本実施形態の動画生成処理の動作を説明するためのフローチャートである。
【図６】本実施形態の動画編集処理の動作を説明するためのフローチャートである。
【図７】本実施形態の動画編集処理を説明するための概念図である。
【図８】本実施形態の動画再生処理の動作を説明するためのフローチャートである。
【図９】本実施形態の動画再生処理を説明するための概念図である。
【発明を実施するための形態】
【００２３】
以下、本発明の実施の形態を、図面を参照して説明する。
【００２４】
図１は、本発明の実施形態によるデジタルカメラの構成を示すブロック図である。図において、入力装置１は、シャッターボタン、十字キー、機能選択ボタンなどの複数のボタンスイッチからなる。内部記憶装置２は、ＲＯＭ、ＲＡＭなどからなり、所定のプログラムや、データなどを記憶する。特に、本実施形態では、カメラ装置３で撮影された動画ファイル２１、及び評価情報ファイル２２が記憶される。評価情報ファイル２２は、動画ファイル２１の撮影時、または再生時に、録画時の操作、または再生時の操作に応じてフレーム単位で評価値を付与した評価情報を保持している。評価値の付与方法について詳細は後述する。カメラ装置３は、光学レンズ、撮像素子、ドライバなどからなり、撮像した映像、特に本第１実施形態では動画として取り込む。表示装置４は、液晶表示器などからなり、撮影時のスルー画像や、撮影後の撮像画像、各種メニュー、撮影パラメータなどを表示する。
【００２５】
音声入出力装置５は、マイク、スピーカ、音声処理部などからなり、外部の音声をマイクから入力するとともに、音声データをＤＡ変換してスピーカから出力する。外部記憶装置６は、ＳＤスロットなどの外部記憶媒体を装着するためのインターフェースを備えており、外部記憶媒体との間でデータの授受を行う。外部記憶媒体には、撮像画像などが所定のフォーマットで保存される。なお、上述した個人情報や、案内文を該外部記録媒体に記憶するようにしてもよい。ストロボ発光装置７は、露出不足を補うための発光手段である。
【００２６】
ＣＰＵ８は、所定のプログラムを実行し、上述した各部の動作を制御する。特に、本実施形態では、カメラ装置３による動画ファイル２１の録画時、または再生時に、後の編集処理過程で、編集の手がかりなる、決定的瞬間が撮影された録画部分など、ユーザが興味を持っていると推定される録画部分などをユーザに提示することができるように、録画操作、または再生操作に応じてフレーム単位で評価値を付与して評価情報ファイル２２として記録する処理や、このような動画の編集時や、再生時に、上記評価情報ファイル２２の評価値を参照して、決定的瞬間が撮影された録画部分など、ユーザが興味を持っている録画部分を推定し、この推定された録画部分の情報を編集の手がかりとなる情報としてユーザに提示する処理を行う。
【００２７】
図２は、本実施形態によるデジタルカメラにおいて、カメラ装置３による動画ファイル２１の録画時に、録画操作に応じて、フレーム単位で付与する評価値の一例を示す概念図である。図２に示すように、本実施形態では、動画ファイル２１の録画時の操作に応じて付与する評価値を設定したテーブルを有する。この評価値は、一例であり、これに限定されず、また、ユーザにより任意に変更可能であってもよい。
【００２８】
図示の例では、録画時の操作として、拡大方向へのズーム操作が行われた場合には、ズーム操作時点の現フレーム位置（フレーム期間）に対して＋１だけ増加させる。また、拡大方向へのズーム操作完了後の第１の時間が経過するまでの期間であれば、その現フレーム位置（フレーム期間）に対してズーム倍率の変化幅に比例した値だけ増加させる（２倍で＋１、４倍で＋２）。
【００２９】
以下、同様に、拡大方向へのズーム操作完了後の第１の時間経過から第２の時間経過までの期間であれば、ズーム操作完了後の経過時間に逆比例した値だけ増加させ、（１秒で＋１、２秒で＋０．５）、縮小方向へのズーム操作であれば、−１、パスト撮影中のシャッタ押下であれば、シャッタ押下前のフレーム位置（フレーム期間）に対して＋２（ａ）、シャッタ押下後のフレーム位置（フレーム期間）に対して＋１（ｂ）とする。
【００３０】
なお、パスト撮影とは、決定的瞬間を撮り逃さないようにするために、シャッタ半押しの状態から撮影を開始しておき（所定フレーム数の画像をバッファリングする）、シャッタ全押しで連写し、シャッタ全押し後の連写した撮影画像とともに、その前に撮影していた撮影画像（所定フレーム数）を記録する撮影方法である。
【００３１】
次に、図３は、本実施形態によるデジタルカメラにおいて、カメラ装置３による動画ファイル２１の再生時に、再生操作に応じて、フレーム単位で付与する評価値の一例を示す概念図である。図３に示すように、本実施形態では、動画ファイル２１の再生時の操作に応じて付与する評価値を設定したテーブルを有する。この評価値は、一例であり、これに限定されず、また、ユーザにより任意に変更可能であってもよい。
【００３２】
図示の例では、再生時の操作として、通常再生が行われた場合には、現フレーム位置（フレーム期間）に対して＋１だけ増加させる。また、早送りであれば、その現フレーム位置（フレーム期間）に対して早送りスピードに比例した値だけ減少させる（２倍で−１、４倍で−２）。以下、同様に、スロー再生であれば、スロー再生スピードに比例した値だけ増加させ（１／２倍で＋１、１／４倍で＋２）、巻き戻しであれば、＋１．５とし、動画ファイルの最後まで再生された場合には、当該動画ファイル全体の評価値として、＋０．５する。
【００３３】
次に、上述した実施形態の動作について説明する。
【００３４】
＜録画撮影処理＞
図４は、本実施形態の録画撮影処理の動作を説明するためのフローチャートである。まず、ユーザが動画撮影モードにし、シャッタを押下すると、動画撮影が開始される。動画撮影が開始されると、撮像した画像を取得し（ステップＳ１０）、取得した画像を動画フレームとして追加記録する（ステップＳ１２）。次に、拡大方向へのズーム操作中であるか否かを判断し（ステップＳ１４）、拡大方向へのズーム操作中である場合には、現フレーム位置（フレーム期間）に対する評価値を所定量（＋１）だけ増加させる（ステップＳ１６）。拡大方向へのズーム操作が行われたということは、撮影者が何らかの興味を持った被写体を撮影するための操作である可能性が高いためである。
【００３５】
次に、拡大方向へのズーム操作完了後の第１の時間が経過するまでの期間であるか否かを判断し（ステップＳ１８）、第１の時間が経過するまでの期間である場合には、現フレーム位置（フレーム期間）に対する評価値を、ズーム倍率の変化幅に比例した値（２倍で＋１）だけ増加させる（ステップＳ２０）。つまり、拡大方向へズームされた場合、ズーム後の第１の時間が経過するまで評価値を増加させる。拡大方向へのズーム操作完了後からしばらくの間（第１の時間経過まで）は、撮影者が何らかの興味を持った被写体が撮影されている可能性が高いためである。
【００３６】
次に、拡大方向へのズーム操作完了後の第１の時間が経過してから第２の時間が経過するまでの期間であるか否かを判断し（ステップＳ２２）、第１の時間が経過してから第２の時間が経過するまでの期間である場合には、現フレーム位置（フレーム期間）に対する評価値をズーム操作完了後の経過時間に逆比例した値だけ増加させる（１秒で１）（ステップＳ２４）。これは、拡大方向へのズーム操作完了後からしばらくの間（第１の時間経過まで）は、撮影者が興味を持っている被写体が撮影されているという理由で高いズーム倍率が維持されている可能性が高いが、それ以降は、撮影者の興味が薄れてきたとしてもそのまま同じズーム倍率が維持されることも多いため、徐々に評価値を減少させているのである。
【００３７】
次に、縮小方向へのズーム操作中であるか否かを判断し（ステップＳ２６）、縮小方向へのズーム操作中である場合には、現フレーム位置（フレーム期間）に対する評価値を所定量（１）だけ減少させる（ステップＳ２８）。これは、拡大方向へのズームとは逆であり、何らかの興味を持った被写体に対する撮影者の関心が薄れた可能性が高いためである。
【００３８】
次に、パスト撮影中のシャッタ押下操作であるか否かを判断し（ステップＳ３０）、パスト撮影中のシャッタ押下操作であった場合には、現フレーム位置の前のフレーム位置（フレーム期間）に対する評価値を所定量（＋２）だけ増加させ、後のフレーム位置（フレーム期間）に対する評価値を所定量（＋１）だけ増加させる（ステップＳ３２）。これは、パスト撮影により決定的瞬間を撮影された可能性が高いためであり、決定的瞬間がシャッタ押下よりも前に撮影されている可能性が高いので上記のような評価値配分としている。
【００３９】
次に、撮影終了操作であるか否かを判断し（ステップＳ３４）、撮影終了操作でない場合には、次のフレーム位置に進め（ステップＳ３６）、ステップＳ１０に戻り、上述した処理を繰り返す。一方、撮影終了操作であった場合には、上述した一連の処理により評価値が新たに生成された評価情報ファイル２２を、撮影された動画ファイル２１と関連付けて記憶し（ステップＳ３８）、当該処理を終了する。
【００４０】
なお、動画撮影時における操作としては、上述したズーム操作以外にも、フォーカス操作、露出調整操作などが含まれていてもよく、これらフォーカス操作、露出調整操作に応じて評価値を付与するようにしてもよい。
【００４１】
＜動作再生処理＞
図５は、本実施形態の動画生成処理の動作を説明するためのフローチャートである。まず、ユーザは、動画再生モードにすると、再生する動画ファイルを選択する。動画ファイルが選択されると、まず、再生対象となる動画ファイルに対応する評価情報ファイルを読み込む（ステップＳ４０）。そして、評価情報ファイルが存在するか否かを判断し（ステップＳ４２）、評価情報ファイルが存在しない場合には、評価情報ファイルを新たに生成する（ステップＳ４４）。これは、例えば、他のデジタルカメラや、パーソナルコンピュータなどから転送した動画ファイルには、録画時に評価情報ファイルが作成されていない場合があるためである。
【００４２】
再生対象の動画ファイルの評価情報ファイルを読み込んだ後、あるいは新たに評価情報ファイルを作成した後、まず、動画ファイルの再生フレーム位置を初期化（頭出し）し（ステップＳ４６）、現フレーム位置の画像を再生表示する（ステップＳ４８）。
【００４３】
次に、通常再生中であるか否かを判断し（ステップＳ５０）、通常再生中である場合には、現フレーム位置（フレーム期間）に対する評価値を所定量（＋１）だけ増加させる（ステップＳ５２）。これは、通常再生であるということはある程度の興味を持って再生している可能性が高いためである。
【００４４】
次に、早送り操作中であるか否かを判断し（ステップＳ５４）、早送り操作中である場合には、現フレーム位置（フレーム期間）に対する評価値を早送りスピードに比例した値だけ減少させる（２倍で＋１）（ステップＳ５６）。これは、早送りして再生を飛ばしてしまうということはそれほど興味がないという可能性が高いためである。
【００４５】
次に、スロー再生操作中であるか否かを判断し（ステップＳ５８）、スロー再生操作中である場合には、現フレーム位置（フレーム期間）に対する評価値をスロー再生スピードに比例した値だけ増加させる（１／２で＋１）（ステップＳ６０）。これは、スロー再生によりじっくりと見ているということであり、興味を持って再生している可能性が高いためである。
【００４６】
次に、巻き戻し操作中であるか否かを判断し（ステップＳ６２）、巻き戻し操作中である場合には、現フレーム位置（フレーム期間）に対する評価値を所定量（１．５）だけ増加させる（ステップＳ６４）。これは、巻き戻すということで、再度、再生する可能性が高く、再度、再生するということは、興味を持って可能性が高いためである。
【００４７】
次に、最終フレームであるか否かを判断し（ステップＳ６６）、最終フレームでない場合には、再生終了操作であるか否かを判断し（ステップＳ７０）、再生終了操作でない場合には、次のフレーム位置に進め（ステップＳ７２）、ステップＳ４８に戻り、上述した処理を繰り返す。
【００４８】
一方、最終フレームであった場合には、動画全体（全フレーム）に対する評価値を所定量（０．５）だけ増加させる（ステップＳ６８）。これは、動画ファイルの最後まで再生されたということは、当該動画ファイルに対してある程度の興味があった可能性が高いためである。その後、上述した一連の処理により評価値が新たに生成された評価情報ファイル２２を、再生対象となる動画ファイル２１と関連付けて記憶し（ステップＳ７４）、当該処理を終了する。
【００４９】
また、再生終了操作があった場合も、価値が新たに生成された評価情報ファイル２２を、再生対象となる動画ファイル２１と関連付けて記憶し（ステップＳ７４）、当該処理を終了する。
【００５０】
＜動画編集処理＞
図６は、本実施形態の動画編集処理の動作を説明するためのフローチャートである。また、図７（ａ）〜（ｃ）は、本実施形態の動画編集処理を説明するための概念図である。ユーザにより動画編集が選択されると、まず、編集対象となる動画ファイルと該動画ファイルに対応する評価情報ファイルとを読み込み、分割されるフレーム期間（シーン）毎に評価値を集計する（各フレーム期間に付与された評価値の合計または平均値）（ステップＳ８０）。図７（ａ）に示す例では、フレーム期間（シーン）Ａ１の評価値が「５」、フレーム期間（シーン）Ａ２の評価値が「−１」、フレーム期間（シーン）Ａ３の評価値が「３」、フレーム期間（シーン）Ａ４の評価値が「−２」、フレーム期間（シーン）の評価値が「５」である。
【００５１】
次に、各フレーム期間（各シーン）のうち、他と比べて評価値が所定値以上であるフレーム期間（各シーン）を選択し（ステップＳ８２）、選択されたフレーム期間（各シーン）部分を、カット編集候補として識別表示する（ステップＳ８４）。図７（ａ）に示すように、編集対象として選択する条件として、評価値３以上とした場合、フレーム期間（シーン）Ａ１、Ａ３、Ａ５が選択され、編集画面上には、図７（ｂ）に示すように、これら選択されたフレーム期間（シーン）Ａ１、Ａ３、Ａ５がカット編集候補として識別表示される。
【００５２】
次に、カット編集候補が識別表示された状態で通常のカット編集を行い（ステップＳ８６）、編集内容が確定されたか否かを判断し（ステップＳ８８）、編集内容がまだ確定されていない場合には、ステップＳ８６に戻り、カット編集を継続する。一方、編集内容が確定された場合には、カット編集候補として選択されているフレーム期間（各シーン）部分を繋ぎ合せて新たな動画ファイルを生成して記録する（ステップＳ９０）。図７（ｃ）に示す例では、フレーム期間（シーン）Ａ１、Ａ３、Ａ５が繋ぎ合わされて新たな動画ファイルとして記録される。
【００５３】
＜動画再生処理＞
図８は、本実施形態の動画再生処理の動作を説明するためのフローチャートである。また、図９（ａ）〜（ｃ）は、本実施形態の動画再生処理を説明するための概念図である。ユーザにより動画再生が選択されると、まず、複数の動画ファイルの中から、対応する評価情報ファイルを参照し、動画全体の評価値が所定値以上の動画ファイルを選択する（ステップＳ１００）。図９（ａ）に示す例では、動画全体の評価値が「３」以上の動画ファイルＡ、Ｂ、Ｃ、Ｄ、Ｅが選択され、そのサムネイルが一覧表示されている。
【００５４】
次に、選択された動画ファイルのうち、未再生の動画ファイルを１つ指定し（ステップＳ１０２）、指定された動画ファイルの中で、評価値が所定値以上のフレーム期間（各シーン）を再生対象フレームとして選択する（ステップＳ１０４）。図９（ｂ）に示す例では、まず、再生対象として動画ファイルＡが選択されており、その動画ファイルの中で、評価値が「３」以上のフレーム期間（各シーン）が再生対象フレームとして選択されている。
【００５５】
次に、再生対象フレームとして選択されたフレーム期間（各シーン）部分だけを繋ぎ合せて再生表示を行い（ステップＳ１０６）、最後まで再生すると、選択された動画ファイルを全て再生したか否かを判断し（ステップＳ１０８）、まだ再生していない動画ファイルがある場合には、ステップＳ１０２に戻り、次の未再生動画ファイルを指定し、上述した再生処理を繰り返す。
【００５６】
図９（ｃ）に示す例では、まず、動画ファイルＡのフレーム期間（各シーン）Ａ１、Ａ３、Ａ４が繋ぎ合わされて再生され、その後、再生対象として動画ファイルＢが選択され、該動画ファイルＢの再生対象フレームとして選択されたフレーム期間（各シーン）Ｂ１、Ｂ３、Ｂ５を繋ぎ合わされて連続的に再生されている。そして、全ての動画ファイルの再生が終了した場合には当該処理を終了する。
【００５７】
上述した実施形態によれば、動画撮影時における操作や、再生時における再生操作に応じてフレーム期間（各シーン）毎に評価値を付与することで、関心の高い動画や、該動画の中で決定的な瞬間が撮影されているフレーム期間（各シーン）を、編集時や、再生時に容易な操作で選択することができる。
【符号の説明】
【００５８】
１  入力装置
２  内部記憶装置
２１  動画ファイル
２２  評価情報ファイル
３  カメラ装置
４  表示装置
５  音声入出力装置
６  外部記憶装置
７  ストロボ発光装置
【図１】
2010239363.tif 000003
【図２】
2010239363.tif 000004
【図３】
2010239363.tif 000005
【図４】
2010239363.tif 000006
【図５】
2010239363.tif 000007
【図６】
2010239363.tif 000008
【図７】
2010239363.tif 000009
【図８】
2010239363.tif 000010
【図９】
2010239363.tif 000011